(57)【要約】【課題】郵便物が定形郵便物であるか否かを簡単な構成で確実に判断できるようにしたものである。【解決手段】郵便物を載せる計量皿部と、前記計量皿部に載せられた郵便物の重量を計量する計量部と、前記計量部によって計量された郵便物の料金を表示する表示部と、前記計量部及び前記表示部の動作を制御する制御部と、前記計量皿部には、郵便物の大きさを測定するときの位置決めとなる突部と、この突部と連携して定形郵便物の大きさの境界線を示す補助線と、を備える。【選択図】図４
2013148501.tif 000002
【特許請求の範囲】
【請求項１】
郵便物を載せる計量皿部と、
前記計量皿部に載せられた郵便物の重量を計量する計量部と、
前記計量部によって計量された郵便物の料金を表示する表示部と、
前記計量部及び前記表示部の動作を制御する制御部と、
前記計量皿部には、郵便物の大きさを測定するときの位置決めとなる突部と、この突部と連携して定形郵便物の大きさの境界線を示す補助線と、
を備える計量器。
【請求項２】
郵便物を載せる計量皿部と、
前記計量皿部に載せられた郵便物の重量を計量する計量部と、
前記計量部によって計量された郵便物の料金を表示する表示部と、
前記計量部及び前記表示部の動作を制御する制御部と、
前記計量皿部には、郵便物の大きさを測定するときの位置決めとなる突部と、この突部と連携して定形郵便物の大きさの境界線を示す補助線と、端部の一片に形成され、定形外郵便物の大きさを測定する時に使用する物差し部と、
を備える計量器。
【請求項３】
前記突部の高さは定形郵便物の高さと同じにしたことを特徴とする請求項１ないし2記載の計量器。
【請求項４】
前記突部は複数個形成され、これら突部間に定形郵便物が納まるよう配置したことを特徴とする請求項１ないし３記載の計量器。
【請求項５】
前記表示部には、定形郵便物、定形外郵便物、並びに荷物の時に選択されて点灯するＬＥＤ表示部を設けたことを特徴とする請求項１ないし４記載の計量器。  
【発明の詳細な説明】
【技術分野】
【０００１】
本発明の実施形態は郵便局で使用される計量器に関する。
【背景技術】
【０００２】
従来、郵便局で使用されている計量器は、決められた一定の大きさと重量からなる定形郵便物と、その大きさ及び重さから外れた定形外郵便物、これらの郵便物から外れる荷物など、数十グラムから数キログラムまで幅広い測定範囲の被測定物部を乗せて計量する。この計量器においては、定形範囲の大きさや定形外の大きさを知る手段がないため、定形と定形外の判断にメジャーを使用していた。
【０００３】
また、郵便料金秤において、計量皿部を相対向する２枚の垂直状の板状部材からなる可動皿部と固定皿部で形成し、これら可動皿部と固定皿部との間に郵便物を載せて挟み込み、可動皿部および固定皿部の相対向する内面に設けた多数のセンサにより、その郵便物の外形寸法を検出して定形郵便か定形外郵便かを判別していたものもある。
【０００４】
しかしながら、前者のものでは、定形郵便物か、定形外郵便物であるかを、いちいち局員が郵便物をメジャーで測定して判別する必要がるため、郵便物外形の計測に要する時間が掛かり、その作業が非常に煩わしく面倒であった。また、後者のものでは、郵便物の外形寸法を検出するのに多数のセンサが必要であり、これらセンサの配置関係が複雑で部品も多くコストアップになっていた。さらには計量皿部が縦形のため、計量器全体の高さが高くなり大型化の原因になっていた、しかも、この種の計量器では荷物の計量が出来ない等の問題があった。
【先行技術文献】
【特許文献】
【０００５】
【特許文献１】特開平6-307917号公報
【発明の概要】
【発明が解決しようとする課題】
【０００６】
そこで、本発明が解決しようとする課題は、郵便物が定形郵便物であるか否かを簡単な構成で確実に判断できるようにしたものである。
【課題を解決するための手段】
【０００７】
本発明の実施形態における計量器は、郵便物を載せる計量皿部と、前記計量皿部に載せられた郵便物の重量を計量する計量部と、前記計量部によって計量された郵便物の料金を表示する表示部と、前記計量部及び前記表示部の動作を制御する制御部と、前記計量皿部には、郵便物の大きさを測定するときの位置決めとなる突部と、この突部と連携して定形郵便物の大きさの境界線を示す補助線とを備える。
【図面の簡単な説明】
【０００８】
【図１】実施形態の計量器の外観を示す外観斜視図。
【図２】同計量器の各部の電気的接続のブロック図。
【図３】同計量器の正面を示す正面図。
【図４】同計量器の計量皿部の外観を示す外観斜視図。
【図５】同計量器における操作手順を示すフローチャート。
【図６】定形郵便物・定形外郵便物のサイズ及び重さに関する説明図。
【発明を実施するための形態】
【０００９】
以下、実施形態の計量器を図１ないし図５に基づいて説明する。
【００１０】
図１は、実施形態の計量器の外観を示す外観斜視図である。図１に示すように、本実施形態の計量器１は、上部に計量皿部２と下部に計量器本体３とを備える。この計量器本体３の正面パネル３ａには操作表示部４が配置されている。なお、これら計量皿部２および操作表示部４に関しては、後述で詳細に説明する。
【００１１】
図２は、計量器１の各部の電気的接続のブロック図である。ＣＰＵ（Ｃｅｎｔｒａｌ  Ｐｒｏｃｅｓｓｉｎｇ  Ｕｎｉｔ）１０にバスライン１１を介してＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、キーコントローラ１４、計量部としての秤部１５および表示コントローラ１６が接続されている。本実施形態では、ＣＰＵ１０、ＲＯＭ１２及びＲＡＭ１３で制御部を構成している。
【００１２】
ＲＯＭ１２には、後述のフローチャートに示す操作手順を実行するプログラムや、図示しない郵便料金を決定するための料金テーブル等が格納され、ＲＡＭ１３には、重量データ、料金データを一時的に記憶するワークエリア（図示せず）等が形成されている。キーコントローラ１４は、設定キー１７の入力をＣＰＵ１０に伝送し、表示コントローラ１６は、表示部１８とＬＥＤ表示部１９とを制御して表示部１８に各種の表示を行うとともに、ＬＥＤ表示部１９を選択的に点灯させる。
【００１３】
次に、計量器本体３の正面パネル３ａの操作表示部４を図３に基づいて説明する。図３に示すように、操作表示部４には、表示部１８としての郵便物や荷物の重量を表示する重量表示部１８ａと郵便料金や荷物の料金を表示する料金表示部１８ｂとが配置されている。また、この操作表示部４には、後述で説明する計量皿部２に設けられた複数の突部と補助線とにより郵便物の大きさを測定して定形郵便か定形外郵便かを判別し、定形郵便物、又は定形外郵便物、或いはこれら以外の荷物を選択して表示するＬＥＤ表示部１９が設けられている。具体的には、定形郵便物のときに点灯させる発光ダイオード１９ａと、定形外郵便物のときに点灯させる発光ダイオード１９ｂと、荷物のときに点灯させる発光ダイオード１９ｃとで構成されている。さらに、この操作表示部４には、設定キー１７が配置されている。この設定キー１７には、発光ダイオード１９ａ、１９ｂ、１９ｃを選択して点灯させるＬＥＤ表示キーや、計量した定形郵便物、又は定形外郵便物、或いは荷物の料金を演算して料金表示部１８ｂに表示させる料金キー等が配置されている。
【００１４】
次に、計量器１の計量皿部２を図３および図４に基づいて説明する。図４に示すように、計量皿部２の上面には、突部２０としての位置決め突部２０ａ、２０ｂ、２０ｃ、２０ｄが同一の矩形形状で形成されている。そして、これら位置決め突部２０ａ、２０ｂ、２０ｃ、２０ｄはそれぞれ所定の間隔をもって配置されている。具体的には、位置決め突部２０ａと２０ｂとの間隔、および位置決め突部２０ｃと２０ｄとの間隔はいずれも１４ｃｍに設定され、また、位置決め突部２０ａと２０ｃとの間隔、および位置決め突部２０ｂと２０ｄとの間隔はいずれも９ｃｍに設定されている。なお、位置決め突部２０ｂと２０ｄの奥行き方向の１辺の長さはそれぞれ７．２５ｃｍに設定されている。すなわち、位置決め突部２０ｂの端から２０ｄの端までの奥行き方向の距離は２３．５ｃｍとなる。同様に、位置決め突部２０ａと２０ｃの奥行き方向の１辺の長さはそれぞれ７．２５ｃｍに設定されており、位置決め突部２０ａの端から２０ｃの端までの奥行き方向の距離も２３．５ｃｍとなる。
【００１５】
次に、これら位置決め突部２０ａ、２０ｂ、２０ｃ、２０ｄで囲われた計量皿部２の上面には、補助線２１、２２が設けられている。具体的には、位置決め突部２０ａ、２０ｂ、２０ｃ、２０ｄの内側の対向するコーナー部間を結ぶ補助線２１ａ、２１ｂ、２１ｃ、２１ｄが設けられ、これらの補助線２１ａ、２１ｂ、２１ｃ、２１ｄによって定形郵便物外形の最少サイズエリアＳ１が形成される。また、位置決め突部２０ａと２０ｃの内側の端から１２ｃｍの位置に補助線２２ｃを設け、この補助線２２ｃと位置決め突部２０ａと２０ｃの内側の端を結ぶ補助線２２ａと、位置決め突部２０ａと２０ｂの外側の端を結ぶ補助線２２ｂと、位置決め突部２０ｃと２０ｄの外側の端を結ぶ補助線２２ｄとによって定形郵便物外形の最大サイズエリアＳ２が形成される。なお、これら位置決め突部２０ａ、２０ｂ、２０ｃ、２０ｄそれぞれの高さは、定形郵便物外形の最大サイズの高さと同じ１ｃｍに設定されている。
【００１６】
そして、計量器１の計量皿部２の正面パネル３ａ側端部の一片には物差し部２３が形成されている。この物差し部２３は定形外郵便物外形の大きさを測定する時に使用されるものであり、本実施形態では４０ｃｍの物差しが形成されている。
【００１７】
次に、計量器１の操作手順を図５に基づいて説明する。図５は計量器１おける操作手順を示すフローチャートである。図５に示すように、ステップ１（以下、図ではＳＴ１と示す）において秤部１５で計量皿部２に載せられた郵便物の重量を計測して、ステップ２でこの重量が４ｋｇ以下か否かを判断する。そして、郵便物の重量が４ｋｇ以下の場合（ＳＴ２のＹ）は、ステップ３で重量表示部１８ａにこの郵便物の重量を表示し、ステップ４で計量皿部２上の設定位置に郵便物を正しく載せて、郵便物外形の大きさの計測を行う。ステップ５で郵便物の長さ、幅、および高さが定形郵便物の規格内に入るか否かを判断し、この郵便物が定形郵便物の規格内に入る場合（ＳＴ５のＹ）は、さらにステップ６でその重量が５０ｇ以下か否かを判断する。そして重量が５０ｇ以下の場合（ＳＴ６のＹ）は、ステップ１０でＬＥＤ表示キーとしての定形キーを操作して、ステップ１１で定形郵便物であることを示す発光ダイオード１９ａを点灯させ、ステップ１６で予め記憶されている料金テーブルの中から該当の料金を読み出す等して郵便料金を求め、ステップ１７でその郵便料金を料金表示部１８ｂに表示する。
【００１８】
また、ステップ５で郵便物の長さ、幅、および高さが定形郵便物の規格外の大きさの場合（ＳＴ５のＮ）は、さらにステップ７でこの郵便物の長さ、幅、および高さを物差し部２３を使用して計測し、ステップ８で郵便物の長さ、幅、および高さが定形外郵便物の規格内に入るか否かを判断する。そしてこの郵便物が定形外郵便物の規格内に入る場合（ＳＴ８のＹ）は、ステップ１２でＬＥＤ表示キーとしての定形外キーを操作して、ステップ１３で定形外郵便物であることを示す発光ダイオード１９ｂを点灯させ、ステップ１６で予め記憶されている料金テーブルの中から該当の料金を読み出す等して郵便料金を求め、ステップ１７でその郵便料金を料金表示部１８ｂに表示する。なお、ステップ６で郵便物の重量が５０ｇ以上の場合（ＳＴ６のＮ）は、この郵便物は定形外郵便物の規格内のものと判断し、以降上述したステップ１２、ステップ１３、ステップ１６およびステップ１７の操作処理を行う。
【００１９】
また、ステップ２で郵便物の重量が４ｋｇ以上の場合（ＳＴ２のＮ）、およびステップ８で郵便物が定形外郵便物の規格外の場合（ＳＴ８のＮ）は、さらにステップ９で荷物に該当するかを判断する。そして荷物に該当すると判断した場合（ＳＴ９のＹ）は、ステップ１４でＬＥＤ表示キーとしての荷物キーを操作して、ステップ１５で荷物であることを示す発光ダイオード１９ｃを点灯させ、ステップ１６で予め記憶されている料金テーブルの中から該当の料金を読み出す等して料金を求め、ステップ１７でその料金を料金表示部１８ｂに表示する。なお、荷物に該当しないと判断した場合（ＳＴ９のＮ）は、その後の操作処理は行わず終了する。
【００２０】
図６は、定形郵便物、定形外郵便物のサイズ及び重さに関する説明図である。図６に示すように、定形郵便物は、重さが５０ｇ以内で、かつ、最大サイズが長さ２３．５ｃｍ，幅１２ｃｍ，高さ１ｃｍ、および最少サイズが長さ１４ｃｍ，幅９ｃｍと規定されている。そして、定形外郵便物は、重さが４ｋｇ以内で、かつ、最大サイズが長さと幅と高さの合計が９０ｃｍ，および最少サイズが円筒形かこれに似た形のもの、あるいは長さ１４ｃｍ，幅９ｃｍより小さいものと規定されている。
【００２１】
以上、説明したように、本実施形態の計量器によれば、計量皿部に設けた郵便物の大きさを測定するときの位置決めとなる突部とこの突部と連携して定形郵便物の大きさの境界線を示す補助線とにより、郵便物が定形郵便物であるか否かを簡単に判断できる。しかも計量皿部の端部の一片には物差し部が形成されているため、この物差し部を使用して定形外郵便物の大きさを計測でき、別途計測のためにメジャーを準備する必要がない。
【００２２】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２３】
１              計量器
２              計量皿部
３              計量器本体
４              操作表示部
１０            ＣＰＵ（制御部）
１２            ＲＯＭ（制御部）
１３            ＲＡＭ（制御部）
１８            表示部
２０            突部
２１，２２      補助線
【図１】
2013148501.tif 000003
【図２】
2013148501.tif 000004
【図３】
2013148501.tif 000005
【図４】
2013148501.tif 000006
【図５】
2013148501.tif 000007
【図６】
2013148501.tif 000008